(57)【要約】  エアージェット式織機によこ糸(4、5)を導入する方法であって、この方法は、よこ糸(4、5)の送り中に、この送りよこ糸(4、5)に関する測定値にもとづいて、補助送風機の組(13、14、15、16)への圧縮空気の供給を中断する時刻を制御することを含む。前記方法を適用する、補助送風機を備えたエアージェット式織機。【選択図】図12
2009516780.tif 000002
【特許請求の範囲】
【請求項１】
エアージェット式織機によこ糸(4、5)を導入する方法であって、
よこ糸(4、5)の送り中に、この送りよこ糸(4、5)に関する測定値にもとづいて、少なくとも一つの補助送風機の組(12、13、14、15、16、17、54、55、56、57)への圧縮空気の供給を中断する時刻(T26、T27、T28、tt26、tt27、tt28、ttt26、ttt27、ttt28、hhh14、hhh15、hhh16、hhh17、hhh54、hhh55、hhh56、hhh57)を決定することを含むこと、
を特徴とする方法。
【請求項２】
一つの補助送風機の組(13、14、15、16)への圧縮空気の供給が、よこ糸(4、5)が補助送風機の特定の組(13、14)に到達したあと、ある時間間隔にわたって中断されることを特徴とする請求項1に記載の方法。
【請求項３】
よこ糸(4、5)がよこ糸モニター(18、19、20)に到達した時刻、または該よこ糸モニターを通過した時刻を測定することを含むことを特徴とする請求項1または2に記載の方法。
【請求項４】
巻き糸(51)がよこ糸モニター(49)に到達した時刻、または該よこ糸モニターを通過した時刻を測定することを含むことを特徴とする請求項1から3の中のいずれか一つに記載の方法。
【請求項５】
よこ糸(4、5)の送り中に、この送りよこ糸(4、5)に関する測定値にもとづいて、ある割合の挿入の中断が起こることを可能にする時刻(TG)を決定することを含むことを特徴とする請求項1から4の中のいずれか一つに記載の方法。
【請求項６】
ある割合の挿入の中断が他の挿入に先駆けて起こることを可能にする時刻(TG)を、設定および/または調節および/または自動設定および/または自動調節することを含むことを特徴とする請求項1から5の中のいずれか一つに記載の方法。
【請求項７】
時刻(TG)が、よこ糸がよこ糸モニター(20、49)に到達した平均時刻、または該よこ糸モニターを通過した平均時刻に対して決定されることを特徴とする請求項1から6の中のいずれか一つに記載の方法。
【請求項８】
時刻(TG)が、よこ糸がよこ糸モニター(20、49)に到達した平均時刻、または該よこ糸モニターを通過した平均時刻に対する割合として決定されることを特徴とする請求項1から7の中のいずれか一つに記載の方法。
【請求項９】
当該割合が、補助送風機の組(12、13、14、15、16、17、54、55、56、57)への圧縮空気の供給を変化させる設定されたやり方によって変えられるものであることを特徴とする請求項8に記載の方法。
【請求項１０】
補助送風機の組(12、13、14、15、16、17、54、55、56、57)への圧縮空気の供給を変化させるやり方を設定することを含むことを特徴とする請求項1から9の中のいずれか一つに記載の方法。
【請求項１１】
織機の速度にもとづく拡大係数および/または設定割合および/または設定値および/または測定時間差および/または拡大係数を使用することを特徴とする請求項1から10の中のいずれか一つに記載の方法。
【請求項１２】
よこ糸(4、5)の送り中に、この送りよこ糸(4、5)に関する測定値にもとづいて、補助送風機の組(12、13、14、15、16、17、54、55、56、57)への圧縮空気の供給がなされる所定の時刻および/または時間間隔が与えられ、また補助送風機の組(12、13、14、15、16、17、54、55、56、57)への圧縮空気の供給の早期または遅れ中断がなされることを特徴とする請求項1から11の中のいずれか一つに記載の方法。
【請求項１３】
複数のよこ糸(4、5)の送り中に、これらの送りよこ糸に関する測定値の変動にもとづいて、補助送風機の組(12、13、14、15、16、17、54、55、56、57)への圧縮空気の供給を中断する時刻(T26、T27、T28、tt26、tt27、tt28、ttt26、ttt27、ttt28、hhh14、hhh15、hhh16、hhh17、hhh54、hhh55、hhh56、hhh57)を決定することを含むことを特徴とする請求項1から12の中のいずれか一つに記載の方法。
【請求項１４】
請求項1から13の中のいずれか一つに記載の方法を適用する、補助送風機を備えたエアージェット式織機であって、
請求項1から13の中のいずれか一つに記載の方法を適用する装置を有すること、
を特徴とするエアージェット式織機。
【請求項１５】
当該装置が、制御ユニット(35)と、該制御ユニット(35)によって制御できる複数の遮断弁(24、25、26、27、28、29、59、60、61、62、63)を有することを特徴とする請求項14に記載のエアージェット式織機。
【請求項１６】
当該装置が時刻(TG)を決定および/または記憶できることを特徴とする請求項14または15に記載のエアージェット式織機。
【発明の詳細な説明】
【技術分野】
【０００１】
本発明は、エアージェット式織機(air weaving machine)によこ糸を導入する方法に関する。また、本発明は、このタイプの方法を適用するエアージェット式織機にも関する。
【背景技術】
【０００２】
杼道を通してよこ糸を送るためにいくつかの送風機に圧縮空気を供給するエアージェット式織機は公知である。これらの織機においては、一つ以上の主送風機といくつかの補助送風機とが、エアガイド通路によってよこ糸を杼道を通して送るために、備えられている。このタイプの織機は、圧縮空気を前記タイプの送風機に供給するための供給装置を有している。補助送風機の組への圧縮空気の供給は、たとえば、特定圧力の圧縮空気を収容している緩衝溜めと補助送風機の組との間に配置された遮断弁をある時間にわたって作動させることによって、なされる。
【０００３】
US 3705608号明細書から知られるように、よこ糸が杼道を送られるときに、連続する補助送風機に圧縮空気が順次に供給される。US 4262707号明細書から知られるように、圧縮空気を連続補助送風機のそれぞれに対して供給する時間は、よこ糸の運動の方向に順次に長くなるように選択される。これは、高速よこ糸も低速よこ糸も、連続する補助送風機からやってくる圧縮空気によって十分に支持される、ということである。
【０００４】
EP 0 554 222 A号明細書から知られるように、少なくとも一つのよこ糸検出器が備えられ、挿入よこ糸の先端のよこ糸検出器への到着が検出される。この場合、補助送風機からの流体噴射は、主送風機に対向する杼道の端に、適当な時刻に、よこ糸が到達するように、よこ糸を加速または減速するために、必要に応じて調節される。
【発明の開示】
【発明が解決しようとする課題】
【０００５】
本発明の目的は、杼道によこ糸を導入するのに使用する空気の量を減少させることのできる方法とエアージェット式織機とを提供することである。
【課題を解決するための手段】
【０００６】
この目的のために、本発明は、前記よこ糸の送り中に、この送りよこ糸に関する測定値にもとづいて、補助送風機の組への圧縮空気の供給を中断する時刻を制御することを含む。
【発明の効果】
【０００７】
本発明の方法の利点は、高速よこ糸が送られるとき、並速または低速よこ糸が送られるときよりも速く、補助送風機の組への圧縮空気の供給を中断することができ、したがって圧縮空気の供給量と空気消費量とが減少する、ということである。これが可能なのは、よこ糸が補助送風機のそれぞれの組を通過し終わった時刻においては、よこ糸への圧縮空気の供給がもはや杼道を通してのよこ糸の送りに実質的に寄与せず、したがってよこ糸の移動に実質的に寄与しないからである。さらに、このようにして供給される圧縮空気は、そのようなよこ糸の引っ張りに実質的に寄与しない。本発明の方法は、並速または低速よこ糸に実質的に影響を及ぼさない。この場合、補助送風機は、通常の方法で作動させられ、それぞれの補助送風機への圧縮空気の供給が早期中断されるということがない。
【０００８】
一つの実施形態においては、補助送風機のある組への圧縮空気の供給が、よこ糸が補助送風機の特定の組に到着してから一定時間後に中断される。そのようにすれば、よこ糸の移動に対する悪影響の危険なしで空気の消費量を小さくすることができる。
【０００９】
一つの実施形態においては、本発明の方法は、ある割合(percentage)の挿入に対する中断が他の挿入に先駆けて起こるようにできる時刻を、設定および/もしくは調節ならびに/または自動設定および/もしくは自動調節することを含む。そのような時刻を与えることにより、本発明の方法を簡単に適用することができる。この場合、この時刻は、よこ糸があるよこ糸モニターに到着する平均時刻に対して決定することができ、たとえばこの時刻は、よこ糸があるよこ糸モニターに到着する平均時刻に対する割合として決定することができる。この割合は、補助送風機への圧縮空気の供給に作用を及ぼすために設定されているやり方に応じて、詳しく言うと、大、中、または小作用のどれが選択されているかに応じて、決定することができる。
【００１０】
一つの実施形態においては、この方法は補助送風機の組への圧縮空気の供給に作用する仕方の設定を含む。本発明のこの方法においては、織機の速度にもとづく拡大係数および/または設定割合および/または設定値および/または測定時間差および/または拡大係数を使用することができる。この方法においては、複数のよこ糸の送り中にこれらの送りよこ糸に関する測定値の変化にもとづいて、補助送風機の組への圧縮空気の供給が中断される時刻を制御することができる。
【００１１】
本発明の方法は、高速運転織機で使用するのに特に適している。さらに、この方法は、以下で詳しく述べる数多くの利点を提供する。
【００１２】
本発明は、前記方法を使用するエアージェット式織機にも関する。
【発明を実施するための最良の形態】
【００１３】
本発明のさらなる特徴と利点とは、図面および従属クレームに示す代表的実施形態に関する以下の説明から明らかになるであろう。
【００１４】
図1は、エアージェット式織機の模式的に示す杼道1を通してよこ糸を送る装置を示す。この装置は、よこ糸4、5の供給のための二つの供給路2、3を有する。各供給路は、よこ糸供給装置6、プレワインダー(prewinder)7、第一の主送風機8、および第二の主送風機9を有する。さらに、このエアージェット式織機は、おさ10を有し、該おさは、案内路11を備え、該案内路は、よこ糸が圧縮空気の助けによりこの案内路11を通って杼道1を送られることを可能にする。この案内路11の近くには、連続する補助送風機の組12、13、14、15、16、および17が配置され、圧縮空気によりよこ糸を順次支持するようになっている。さらに、複数のよこ糸モニター18、19、および20が案内路11に沿って配置され、よこ糸がこれらのよこ糸モニター18、19、および20に到着した時刻、より詳しくは、よこ糸の先端がこれらのモニター18、19、および20に到着した時刻を検出するようになっている。よこ糸モニター18、19、および20は、案内路11の長さ方向に、それぞれ、補助送風機の組12、13、および14の後ろの、ある距離に配置されている。
【００１５】
主送風機8および9は、付随する遮断弁21および絞り弁22を通じて、圧縮空気供給源23に接続されている。補助送風機の組12、13、14、15、16、および17のそれぞれも、同様に、遮断弁24、25、26、27、28、および29と付随する絞り弁30を通じて、圧縮空気供給源23に接続されている。変形実施形態(図示せず)においては、主送風機と補助送風機との両方に対して、独立の圧縮空気供給源を備えることができる。さらに、引っ張り送風機31が示してあり、これは、よこ糸が導入されたとき、よこ糸が引っ張られた状態に保つ働きをする。引っ張り送風機31は、遮断弁32と絞り弁33を通じて、圧縮空気供給源23に接続されている。主送風機9が配置されている端と反対側の、案内路11の端には、よこ糸モニター34が配置され、このよこ糸モニターは、よこ糸4、5がこのよこ糸モニター34に到着した時刻を決定することができる。
【００１６】
遮断弁21、24、25、26、27、28、29、32、および絞り弁22、30、33は、図1に示すように、エアージェット式織機の制御ユニット35によって制御される。よこ糸モニター18、19、20、および34も、この場合、やはり制御ユニット35と協働する。遮断弁は、たとえば、制御ユニット35によって制御できる電磁弁から成る。絞り弁も、この場合、モーターによって駆動でき、制御ユニット35によって制御できるように構成することができる。
【００１７】
よこ糸4、5は、主送風機8、9によって案内路11内に吹き込まれ、次に、補助送風機12、13、14、15、16、および17からのエアージェットによって、案内路11に沿ってさらに吹き送られる。案内路11は、たとえば、おさ10内に配置され、よこ糸4、5の導入時に杼道内に公知のやり方で配置される。主送風機9、補助送風機12、13、14、15、16、および17、おさ10、ならびによこ糸モニター18、19、20、および34は、往復移動するスレー(図示せず)上に、公知のやり方で取りつけられる。よこ糸供給装置6、プレワインダー7、主送風機8、および引っ張り送風機31は、このエアージェット式織機の枠に取りつけられる。
【００１８】
よこ糸モニター18、19、20、および34は、たとえば、共通の接続線36によって、制御ユニット35に接続されている。遮断弁21、24〜29、32および絞り弁22、30、33も、共通の接続線37によって、制御ユニット35に接続されている。各プレワインダー7は、適当な時刻に必要長さのよこ糸4または5を解放するために、磁性ピン38を有している。各磁性ピン38は、共通の接続線39によって制御ユニット35に接続されている。
【００１９】
よこ糸が送られている間、遮断弁24、25、26、27、28、および29は、たとえば図2に示す図式にしたがって、作動させられる。この場合、遮断弁24、25、26、27、28、29は順次に作動させられる。これらの連続遮断弁24、25、26、27、28、29は、また公知のやり方で、主送風機9から遠いものほど、長い時間作動させられる。遮断弁29は、よこ糸を導入後に再引っ張りして、引っ張られた状態に保つことができるようにするために、相対的に長時間作動させられる。変形実施形態においては、この目的のために、補助送風機の複数の組、たとえば補助送風機の最後の二組16および17を、相対的に長時間作動させることができる。もう一つの実施形態においては、補助送風機のいくつかの組を、よこ糸引っ張りのために、挿入の終了時に再度作動させることができる。
【００２０】
エアージェット式織機の場合、通常、800〜1200本のよこ糸/分、言い換えると1400〜2800 m/minの程度の製織速度(weaving speed)で織られる。この場合、よこ糸の一回の挿入にかかる時間は、わずか数十ミリ秒である。不均一な(irregular)よこ糸たとえば紡績(spun)よこ糸を織る場合、引き続くよこ糸において、測定挿入パラメータがよこ糸ごとに大きく異なるということがありうる。この場合、あるよこ糸が製織サイクル内の異なる時刻に、よこ糸モニター18、19、または20に到着するということが起こりうる。
【００２１】
図2には、ブロック40、41、42、43、44、および45によって、それぞれ補助送風機12、13、14、15、16、および17に圧縮空気が供給される時間間隔が示されている。言い換えると、圧縮空気を付随する補助送風機に供給するために、遮断弁24、25、26、27、28、および29が開放される時間間隔が示されている。ブロック40は、弁24が開いた時刻s24で開始されて、弁24を通じての補助送風機の組12への圧縮空気の供給が開始され、前記ブロックは、弁24が再度閉じた時刻t24で終了して、補助送風機の組12への圧縮空気の供給がふたたび中断される。同様に、弁25、26、27、28、および29は、それぞれ、時刻s25、s26、s27、s28、およびs29で開放され、時刻t25、t26、t27、t28、およびt29で閉鎖される。
【００２２】
図2において、線46は、並速よこ糸の移動経路を、線47は、高速よこ糸の移動経路を、線48は、低速よこ糸の移動経路を示す。ここで注意すべきことは、それぞれの補助送風機が、時間に関して、高速よこ糸が到着したときにはすでに作動しており、低速よこ糸が到着するまで十分な長さの時間わたって作動したままになるように、作動させられる、ということである。そのような方法は、割合に多量の空気消費を必要とする。
【００２３】
エアージェット式織機によこ糸を導入する本発明の方法を、図3により、さらに詳しく説明する。本発明においては、よこ糸4、5が送られている間に、送られているよこ糸4、5に関して測定が実行される。ここに示す例の場合、これらの測定は、よこ糸4、5がそれぞれよこ糸モニター18、19、20に到着した時刻t18、t19、および/またはt20を測定することから成る。補助送風機の組14、15、または16への圧縮空気の供給が中断される時刻T26、T27、および/またはT28は、送られているよこ糸4、5に関するそのような測定値にもとづいて決定される。
【００２４】
一つの可能性としては、時刻T26は、時刻t20に続く時間間隔P26として決定される。同様に、時刻T27は、t20に続く時間間隔P27として、時刻T28は、t20に続く時間間隔P28として、決定することができる。この場合、補助送風機の組14、15、16の少なくとも一つの特定組への圧縮空気の供給が早期中断される。この早期中断は、よこ糸モニター20によこ糸が到着したあとの特定時刻に行われる。よこ糸モニター20は、特定の補助送風機の組14の下流に配置されている。
【００２５】
t20において生じうる不正な測定値または不正確な測定値の検出のために、t18とt19との間の時間間隔がt18とt20との間の時間間隔の半分にほぼ等しいかどうかが決定される。そうでない場合、たとえば中断のためのそれぞれの時刻t26、t27、およびt28は一定に保たれ、本発明の方法による、圧縮空気の供給が時刻T26、T27、およびT28における早期中断はなされない。これにより、圧縮空気の供給が不正な測定値にもとづいて早期中断されるのが防がれる。
【００２６】
図4は、図3の変形を示し、よこ糸がややゆっくり導入される。この場合、圧縮空気の供給は、図3の実施形態の場合よりも少し遅れて、先行技術の図2の実施形態の場合よりもやや早く中断される。明らかに、前記方法により、時刻T26、T27、またはT28(図3に示すように決定される)が、時刻t26、t27、またはt28よりもあとにある場合、圧縮空気の供給はここでも時刻t26、t27、またはt28で中断される。このやり方の場合、圧縮空気の供給は、十分に高速のよこ糸の場合、補助送風機のいくつかの組14、15、および16においてのみ早期中断され、一方、割合に低速のよこ糸の場合、中断の時刻は遅れない。図4の例の場合、補助送風機の組14への供給は、所定の時刻t26に中断され、補助送風機の組15および16への圧縮空気の供給のみが、時刻T27およびT28に早期中断される。言い換えると、割合に低速のよこ糸に使用される所定の時刻t27およびt28よりも早く中断される。
【００２７】
図5に示す変形実施形態の場合、製織サイクルにおいて、t20が時刻TGよりも前にある場合、補助送風機の組14、15、および16への圧縮空気の供給は、たとえば、所定時間間隔Q26、Q27、Q28がそれぞれ設定時刻t26、t27、またはt28よりも前にあるとき、時刻T26、T27、およびT28に早期中断される。図3から5に示す例においては、補助送風機の組14、15、および16への圧縮空気の供給は早期中断される。すなわち、図2に示すような、織機の補助送風機の組への圧縮空気の供給の通常設定時刻または既定設定時刻よりも早く中断される。したがって、よこ糸の送りおよび/または再引っ張りに大きな影響を与えることなく、圧縮空気を節約することができる。
【００２８】
当然のことながら、このやり方の場合、補助送風機の組12、13、および17への圧縮空気の供給を早期中断することも可能である。補助送風機の組12は短時間だけしか送風しないので、補助送風機の組への圧縮空気の供給の早期中断は、効果が小さい。補助送風機の組13への圧縮空気の早期中断は、たとえば、図3に示すように、時刻t18および/またはt19の測定値の使用、および時間間隔P25を与えることにより、可能になる。補助送風機の組17への圧縮空気の供給の早期中断は、あまり望ましくない。というのは、補助送風機の組17は、割合に長時間送風して、再収縮したよこ糸が再引っ張りされ、いったん再引っ張りされたら、確実に引っ張られたままに保たれるようにする必要があるからである。
【００２９】
図1は、各プレワインダー7の近くにあるよこ糸モニター49をも示し、このよこ糸モニター49は、巻き線51がプレワインダー7のドラムから解き放たれるたびに、より具体的にはよこ糸の一部がよこ糸モニター49に到着またはこれを通過するたびに、制御ユニット35に信号を送る。このようなよこ糸モニター49は、巻き線センサーとも呼ばれる。よこ糸モニター49からの信号は、この場合、接続線50により、制御ユニット35に送られる。よこ糸4、5の送り中のこの送られるよこ糸4、5に関する測定値は、ここでは、よこ糸モニター49からの信号によって得られる。この場合、巻き線51がよこ糸モニター49に到着した時刻は、製織サイクル内の基準時刻に対して、より詳しくは巻き線時刻(winding time)と呼ばれる基準時刻に対して、測定される。よこ糸モニター49の順次送信信号は、それぞれのよこ糸モニター18、19、および20の順次送信信号と同じように使用することができる。また、一つ以上の巻き線の解き放ちに関する絶対時刻を決定または測定することができる。
【００３０】
よこ糸が、たとえば、ある長さの五つの巻き線を有する場合、たとえば第二の巻き線の信号t2w、言い換えるとよこ糸モニター49の第二の信号を使用して、信号t20にもとづいて、時刻T26、T27、またはT28を、図3に示すものと同様のやり方で決定することができる。この場合、第二の巻き線t2wの信号は、図6に示すように、図3の信号t20と同様に使用することができる。よこ糸モニター49の順次送信信号t1w、t2wは、この場合、よこ糸モニター19および20の順次送信信号と同様に処理して、補助送風機の特定組への圧縮空気供給の中断を制御することができる。
【００３１】
一つの可能性として、図6に示すように、第二の巻き線の信号t2wの時刻が、製織サイクル内の特定時刻TGと比較される。この時刻TGは、製織サイクル内の基準時刻に対する所定時刻または閾値であり、たとえば、織機が製織サイクル内の特定角度位置に到着したあとの特定選択時刻である。この測定時刻または信号が、たとえば図6に示すように、時刻TGの前に来る場合には、補助送風機の組14、15、または16への圧縮空気の供給は、時間間隔Q26、Q27、またはQ28だけ早められる。この測定信号または時刻t2wが時刻TGの後に来る場合には、補助送風機の組への圧縮空気の供給の中断は早められず、言い換えると、圧縮空気の供給は、所定の流れ、たとえば図2に示すような流れにしたがって行われる。時刻TGは、制御ユニット35によって決定することができ、制御ユニット35に記憶することができ、制御ユニット35によって製織時に調節および/または設定することができる。
【００３２】
起こりうる不正または不正確な巻き線時刻の測定値を決定するために、たとえば平均巻き線時刻を計算することができる。この平均巻き線時刻が所定値とかなり異なる場合、巻き線時刻が間違って測定されたと結論することができる。たとえば、前記例においては、本発明により第二の巻き線時刻が使用される場合、そのような不正な測定値は、第一または第二の巻き線が検出されず、すなわち予想巻き線時刻よりもやや大きめの平均巻き線時刻が得られた場合に、発生しうる。この場合、本発明の方法は、よこ糸のこの特定挿入に対しては使用されない。すなわち、補助送風機の組への圧縮空気の供給は早期中断されない。
【００３３】
図1に示すように、織機は入力ユニット52をも有し、該ユニットにより、図2に示すような流ればかりでなく、パラメータP25、P26、P27、P28、および/またはQ26、Q27、Q28をも入力することができる。明らかに、複数の前記パラメータを入力することができる。一つの可能性として、Q26、Q27、およびQ28に対して三組の値を入力することができる。たとえば、小さなクランク角10゜、中程度のクランク角20゜、および大きなクランク角30゜である。一つの可能性として、Q26、Q27、およびQ28に対する値は、たとえばそれぞれの場合に同じであるように選択することができ、言い換えると、小、中、高と選択することができる。織機の制御ユニット35は、このクランク角を、たとえば1200挿入/分における時刻値、すなわちクランク角360゜が50 msecを要する、というように変換することができる。織られるよこ糸材料に応じて、織機のオペレータは、本発明の方法により、小、中、または高の値が使用されるということを、入力することができる。
【００３４】
製織が図2による時刻および/または時間間隔の事前設定値となるように設定された織機でなされ、本発明の方法が使用される場合、図3〜6に示すやり方の使用は必須ではない。変形実施形態においては、本発明の方法が使用されるとき、図2に示す事前設定値を自動的に、図7に示す新しい事前設定値となるように調節し、図2に示すような製織サイクルにおける、t26、t27、およびt28の前に、それぞれtt26、tt27、およびtt28が設定されるようにする。この場合、補助送風機の組14、15、および16への圧縮空気の供給は、それぞれ時刻tt26、tt27、およびtt28に中断される。たとえば、t20および/または第二の巻き線時刻t2wが時刻TGのあとになるということがわかった場合、図2に示すものと同様のやり方での時刻t26、t27、またはt28における圧縮空気の供給の中断のための所定の流れに切り換えられる。この場合、圧縮空気の供給は、まず製織時の初期に中断され、また、圧縮空気の供給は、割合に低速のよこ糸が杼道を通して送られているということが決定された場合にのみ、あとから中断される。この場合、圧縮空気が低速よこ糸の送り時に補助送風機のいくつかの組に供給される時間間隔が延長される。どちらの場合にも、よこ糸が、時刻TGの前に、ある位置に到着するときに、中断は早く行われ、また、よこ糸が、時刻TGのあとに、ある位置に到着するときに、中断は遅く行われる。t20とt2wとの両方を決定することの利点は、これらの値の一つの不正な測定値を、これらの二つの時刻値の差を決定し、この差を予想または設定値と比較することにより、排除できるということである。
【００３５】
明らかに、それぞれtt26とt26との間、tt27とt27との間、およびtt28とt28との間の時間差R26、R27、およびR28は、事前決定または事前設定することができる。一つの実施形態においては、これらの時間差R26、R27、およびR28の値は、補助送風機の組に圧縮空気が供給される時間間隔に対して、たとえばこの時間間隔のある割合として、決定することもできる。これは、R26がs26とtt26との間の時間差のある割合、R27がs27とtt27との間の時間差のある割合、R28がs28とtt28との間の時間差のある割合である、ということを意味する。この割合は、それぞれ、小、中、または高、言い換えると10%、20%、または30%であるように選択することができる。割合の使用は簡単であり、簡単なやり方で設定値を入力することができる。
【００３６】
また、やはり可能なのは、前記割合を、補助送風機の組が作動する時間間隔の長さによって決まる割合として選択することである。割合に長時間作動する補助送風機の組に対しては、たとえば25%を選択することができ、割合に短時間しか作動しない補助送風機の組に対しては10%を選択することができる。変形実施形態においては、たとえば補助送風機の組16に対して25%を選択することができ、補助送風機の組14と15に対しては、10%を選択することができる。
【００３７】
前記例においてやはり可能なのは、供給を延長すべき時間または時間間隔を、たとえば時刻t20と時刻TGとの間の時間差にもとづいて、たとえば、該時間差に拡大係数をかけたものに等しい時間間隔として決定する、というものである。この拡大係数は、試験により、1とするのが適当であると決定された。他の可能性としては、2、3を使用することができ、またはさらに大きな数たとえば9という値さえも使用することができる。同様に、時刻TGを、たとえばよこ糸モニター49を通過する第二または第三の巻き線が測定される時刻t2wまたはt3wと比較することができる。
【００３８】
本発明の方法においては、時刻TGを、平均的なよこ糸が特定よこ糸モニター20または49に到着またはこれを通過するのに要する時間間隔にほぼ等しくなるように選択することにより、良い効果を得ることができる。時刻TGは、たとえば、入力ユニット52によって入力することができる。しかし、時刻TGを制御ユニット35によって最適化できるようにするか、またはオペレータが手動調節できるようにすることが有効でありうる。圧縮空気の供給の流れが挿入手段の約50%の挿入時に調節されると仮定する。たとえば、普通の、所定の流れ、たとえば図2の流れが使用されず、挿入時に採られた測定値にもとづく修正流れたとえば図3〜7に示すものの一つが使用されると仮定する。そうすると、平均の挿入よりも速い各挿入に対しては、圧縮空気の供給が早く中断され、平均の挿入よりも遅い各挿入に対しては、圧縮空気の供給が早くは中断されない、ということになるであろう。試験によれば、30〜50%の挿入に対しては、圧縮空気の供給の中断が製織サイクル内で他の挿入に対してよりも早く実行されるように、時刻TGが最適に選択される、ということが示された。これは、30〜50%の挿入に対して、ある量の圧縮空気を節約できるということである。この場合、本発明の方法は比較的十分に働くといえる。
【００３９】
制御ユニット35は、製織時にこの割合を決定してディスプレイユニット53に表示することができ、したがって、オペレータは、必要であれば、手動で時刻TGを調べて調節することができる。当然のことながら、制御ユニット35は、割合が30〜50%になるまで、この時刻TGを自動調節することもできる。その場合、時刻TGに対する調節値は、時刻TGに対する設定値とともにディスプレイユニット53に表示することができ、したがってオペレータは、時刻TGがどのように調節または変更されたかを調べることができる。
【００４０】
一つの実施形態においては、下記のような本発明の方法が使用できる。まず、補助送風機のいくつかの組への圧縮空気の中断に小さいかまたは大きい作用を及ぼすシステムが必要であるかどうかを決定しなければならない。供給の中断に対する作用は、小、中、または大を選択することができる。時刻および/または時間間隔の所定の設定値がこれらの時間間隔が割合に短くなるように選択される図7の場合を例として考えると、時刻TGは、小作用の場合、たとえばt2wの平均時刻の99.5%に設定され、t2wが時刻TGの後に来る場合、圧縮空気の供給時間間隔の10%の延長(時間差R26、R27、およびR28)が選択される。中作用を与えたい場合、時刻TGはt2wの平均時刻の99%に設定することができ、前記時間間隔の延長は20%を選択することができる。大作用の場合、時刻TGはt2wの平均時刻の97%に設定することができ、前記時間間隔はこの場合30%延長することができる。
【００４１】
別の可能性としては、小作用の場合、時刻TGを前記平均時刻の99.5%に設定することができ、前記時間間隔の延長(時間差R26、R27、およびR28)を、t2wとTGとの間の時間差の1倍になるように選択することができる。中作用の場合、時刻TGを前記平均時刻の99%に設定することができ、前記延長を、たとえばt2wとTGとの間の時間差の3倍になるように選択することができる。大作用の場合、時刻TGを前記平均時刻の97%に設定することができ、前記延長を、たとえばt2wとTGとの間の時間差の9倍に設定することができる。1倍、3倍、および9倍の代わりに、別の拡大係数値を設定または選択することができる。別の可能性としては、前記時間間隔のそれぞれを、前記時間差に応じて、または関係させて、少しずつ延長することもできる。
【００４２】
前記のようなやり方に加えて、図8に示すように、前記時間間隔、具体的にはブロック42、43、または44の延長を時間差F26、F27、またはF28となるようにすることができる。そのような時間差は、拡大係数と、たとえばt2wとTGとの間の時間差とをかけることによって決定することができる。当然のことながら、第一のTGと第二の時刻たとえばt1w、t3w、t19、t20、またはその他の時刻との間の時間差を使用することも可能である。この場合、拡大係数は、たとえば、織機の特定速度に対して設定することができる。拡大係数は、たとえば1200回転/分のとき、それぞれ小、中、または大作用に対して“1.5”、“3”、または“4.5”と設定することができる。製織が異なる速度で行われる場合、この拡大係数は、制御ユニット35によって、たとえばこの速度に反比例するように、自動的に調節される。これは、ここに示す例の場合、600回転/分のときには、制御ユニット35によって、拡大係数がそれぞれ“3”、“6”、または“9”と設定される、ということである。このようにすることの利点は、ある測定時間差、たとえばTGとt2wとの間の測定時間差から得られる、送風の時間差F26、F27、またはF28だけの延長は、この場合、同一の測定時間差のとき、事実上織機のクランク角に等しい送風の延長を事実上もたらす送風の延長を与える、ということである。もっと具体的に言えば、たとえば600回転/分で小作用のとき、1 msec遅すぎる(TGのあと)ということが検出された場合、送風は3 msecだけ延長され、この値は、織機のクランク角12゜に大体対応する。1200回転/分のときに同じ測定時間差1 msecが得られた場合、これはわずか1.5 msecの送風延長を与えるが、これも織機のクランク角約12゜に対応する。この場合速度の関数として調節される拡大係数は、他の何かの関数として調節することもできる。すなわち、この種の関数は前記の反比例関数に限定されず、別の公式にしたがって調節することもできる。この公式は、たとえば、あるクランク角で、ある測定時間差の場合には、補助送風機のある組が長く送風する、というようなものである。
【００４３】
さらに図8に示すように、時間差V26、V27、およびV28も使用される。この場合には、事実上図2の時刻に一致する時刻t26、t27、またはt28に圧縮空気の供給が中断される。たとえば、F26が上で決定したようなやり方の場合にV26よりも大きくなると、延長はV26以下に制限される。F27またはF28の値は、同様にV27またはV28の値以下に制限できる。これは、図4の実施形態と同様に、時間間隔をあるアルゴリズムにしたがって延長できるが、たとえば図2に示す設定よりも実質的に長くなることはない、という利点を与える。前記時間間隔の延長の有する利点は、低速よこ糸の場合、圧縮空気の供給の中断時刻が調節される、ということである。明らかに、その他の可能性として、織機の速度の関数である前記拡大係数は、同様に、圧縮空気の供給時間の短縮のためにも使用することができる。
【００４４】
図9は、それぞれ時間差F26、F27、またはF28を制限する値V26、V27、およびV28が割合自由に選択できるもう一つの実施形態を示す。このやり方では、補助送風機の組が、それぞれ時刻TM26、TM27、およびTM28に達するまで、最大限に送風することが可能になる。このやり方の利点は、TM26、TM27、およびTM28を図8の例のt26、t27、またはt28よりもあとになるように選択することができるということ、言い換えると、これらの値が図2のt26、t27、またはt28と直接には関係しないということである。したがって、割合に遅いよこ糸を織ることができる。その他の可能性としては、たとえば、TM26、TM27、およびTM28の値を互いに等しくなるように選択することができる。
【００４５】
明らかに、図6に示すように時間間隔を短縮することが決定される場合、たとえば、小作用のとき、時刻TGを前記平均時間の100.5%に設定し、中作用のとき、時刻TGを前記平均時間の101%に設定し、大作用のとき、時刻TGを前記平均時間の103%に設定することができる。Q26、Q27、およびQ28の値は、もちろん、適当なやり方で選択および/または設定することができる。
【００４６】
明らかに、前記の例を組み合わせて使用することも可能であり、それらは、本発明の説明の一部を構成する。この場合、明らかに可能なのは、試験によって、よこ糸が特定よこ糸モニターに到着する平均時間に対して、適当な時刻TGを決定し、ある割合の挿入部分が少ない圧縮空気で織られるようにする、というものである。織機のオペレータまたは制御ユニット35は、この場合、小、中、または大作用の使用により最善の結果が実現されているかどうか、言い換えると、よこ糸の送りおよび再引っ張りに実質的な影響を与えることなく、圧縮空気の量が節約できているかどうかを、調べることができる。
【００４７】
本発明においては、よこ糸モニター18、19、20、34、および/またはよこ糸モニター49からの信号の時刻を測定し、補助送風機の制御のために使用する。この場合、時刻TGの決定のためでなければ、直接使用されるのは、よこ糸のいくつかの導入に関する平均ではなく、よこ糸の導入時の少なくとも一つの測定値のみが考慮される。したがって、挿入時の測定値のみによって、圧縮空気の供給の、必要に応じた早期中断がもたらされる。当該よこ糸がよこ糸モニターに到着する時刻のこれらの測定値は、当然、制御ユニット35に記憶されている標準値と比較することができる。当然のことながら、挿入時の測定が正しく行われているかどうかを決定するために、平均値を決定することもでき、また、たとえば、不正測定の場合、その測定結果をたとえば統計公式にあてはめて調節することができる。
【００４８】
やはり明らかに、連続する補助送風機への圧縮空気の供給の個別流れ図を、それぞれのよこ糸4、5の種類に関して与えることができる。これは、特に、いろいろな種類のよこ糸が異なる製織速度または送り速度で織られる場合、より詳しくは、織機の速度が導入されるよこ糸にあわせて調節される場合に、適当である。また、それぞれのよこ糸4、5の種類に対して専用の関数を与えて、よこ糸4、5の導入時に該よこ糸に関する測定値にもとづいて、圧縮空気の供給の中断を早めるか遅くするかを決定するようにすることができる。この場合、たとえば、図3〜7の実施形態の一つまたはこれらの組合せによって、それぞれの種類のよこ糸に圧縮空気を送ることができる。
【００４９】
本発明の方法を適用する場合に有利なのは、導入よこ糸に関する測定をできるだけ多く実施することである。たとえば、一つのよこ糸に関して、よこ糸モニター18、19、20、および49を使用して測定を実施する。この場合に可能なのは、不正な測定値を検出して、測定値が割合に高い信頼度で高速または低速よこ糸であるということを示している場合にのみ、補助送風機の組への圧縮空気の供給の早期または遅れ中断を実施するということである。限られた数の高速よこ糸の導入時に補助送風機の一つ以上の組への圧縮空気の供給が早期または遅れ中断される時刻を制御するということの利点は、よこ糸の導入および/またはよこ糸の再引っ張りに寄与しない圧縮空気を節約し、より少ない量の空気で製織ができる、ということである。
【００５０】
明らかに、補助送風機の組は、遮断弁を通じて圧縮空気供給源に接続されている少なくとも一つの単一補助送風機またはいくつかの補助送風機から成ることができる。主送風機、補助送風機、および再引っ張り送風機への圧縮空気の供給のための装置は、当然、示されている遮断弁、絞り弁、および圧縮空気供給源のみに限られず、圧縮空気の供給を設定、制御、または調節することのできる任意の供給装置で置き換えることができる。主送風機8、9への圧縮空気の供給の調節は、EP 442.546 B1号明細書から知られるものと同様に、絞り弁22を、各よこ糸が、平均として製織サイクル内の同じ時刻に、たとえばよこ糸モニター34に到着するように、作動させることからなるようにすることができる。これが意味するのは、たとえば、順次に導入されるよこ糸(たとえば、フィラメントよこ糸であることもある)の性質の変化によらず、平均的なよこ糸の移動路に関して図2に示す線46は、順次送られるよこ糸に対して変化しない。前記調節は、当然、公知のように、順次に導入されるよこ糸の平均移動路が事実上変化しない紡績よこ糸の製織の場合には、必要でない。明らかに、主送風機への圧縮空気の供給の調節の方法は、本発明の方法とは無関係に実施することができ、これら二つの方法は事実上相互に影響しない。
【００５１】
前記説明においては三種類の作用、すなわち大、中、または小作用について述べたが、明らかに、変形実施形態においては、二つだけ、あるいはさらに四つ以上の作用を与えることもでき、たとえば非常に大、大、中、小、および非常に小の作用を与えることができる。
【００５２】
よこ糸がよこ糸モニター20、49に到着する平均時刻に関して時刻TGを決定することは、当然、割合のみに限定されず、別の公式により、あるいは統計的に行うこともできる。
【００５３】
図10には、模式的に、補助送風機の連続する複数の組12、13、14、15、16、17、54、55、56、57、および58が示され、これらにはそれぞれ、遮断弁24、25、26、27、28、29、59、60、61、62、および63を通じて、圧縮空気が供給される。この形の配置は、たとえば割合に幅のある織機で使用される。図11は、補助送風機の前記連続する組への圧縮空気の供給のための先行技術による流れ図を示す。この流れ図は、織機のメインシャフトのクランク角で表されている。織機の速度が既知であれば、この流れ図は容易に時間単位のものに変換することができる。しかし、クランク角の使用が好ましい。というのは、そうすれば、補助送風機の組への圧縮空気の供給の制御を、織機の速度と無関係になしうるからである。これは、よこ糸の順次挿入が異なる織機の速度で実施される場合、言い換えると、織機の速度が一定でない場合に、特に有利である。図2に示すケースでは、線46は平均的なよこ糸の移動路を示し、線47は割合に高速のよこ糸の移動路、また線48は割合に低速のよこ糸の移動路を示す。
【００５４】
さらに、図11は、順次に送られるよこ糸がたとえばよこ糸モニター34に到着する時刻の分布である分布64を示す。この分布64により、これらの測定値の変動を決定することができる。主送風機8、9への圧縮空気の供給は、公知のやり方で、平均的なよこ糸が線46にしたがって到着するように、調節することができる。本発明の利点は、平均的なよこ糸が製織サイクル内の割合に一定の時刻によこ糸モニター34に到着する場合に、より有効に使用される。図11において、部分Sは、線47に従う割合に高速のよこ糸よりも高速のよこ糸を示し、部分Fは、線48に従う割合に低速のよこ糸よりも低速のよこ糸を示す。特に、部分Fと部分Sには、それぞれ、たとえば、導入よこ糸の3〜5%が含まれる。明らかに、先行技術の設定による実施の場合、分布64が測定または決定され、次に線46、47、または48が、それぞれ、平均的なよこ糸、割合に高速のよこ糸、および割合に低速のよこ糸の理論的経路として、適当に決定される。
【００５５】
好ましくは、よこ糸モニター34による測定時刻の変動を決定するのが好ましい。というのは、杼道の端に配置されたよこ糸モニター34によこ糸が到着する時刻は、割合正確に測定できるからである。これらの時刻の可能な変動は、図11にGで示してあり、これは、前記のようにして決定される割合に低速のよこ糸と、前記のようにして決定される平均的なよこ糸との間の到着に関する差によって決定される。そのような変動Gは、ある製織速度における角度差または時間差として表現することができる。そのような変動は、また、異なるやり方でも決定でき、たとえば、この種の変動は、平均時刻に相対的な、平均時刻よりも遅い時刻に関する測定時刻の平均自乗偏差として決定することができる。別の可能性としては、この変動は、前記到着時刻に関する統計分布にある係数をかけたものに対応させることができる。図11の実施形態の場合、補助送風機の連続する組への圧縮空気の供給は、それぞれ、時刻h12〜h17、またはh54〜h58に中断される。
【００５６】
図11において、Aは、平均的なよこ糸に関して、製織サイクル内での測定時刻を示し、たとえば、第三の巻き線がよこ糸モニター49たとえばプレワインダーの巻き線センサーによって測定される時刻t3wを示す。同様に、Bは、割合に高速のよこ糸に関する前記時刻を示し、またCは、割合に低速のよこ糸に関する前記時刻を示す。別の可能性として、時刻AとCとの間の差ACを変動として使用することができる。図11からわかるように、時刻AとCとの間の差ACは、大体分布64のGの半分に等しい。さらに別の可能性として、前記変動を、時刻t3wの分布に関する分布65によって示す例において、統計的に決定することができる。変動を決定するもとになる分布64および65ならびに/または線46、47、および48は、図11による補助送風機の組の設定における多数のよこ糸の製織時、たとえば特定ボビンからの数千のよこ糸またはすべてのよこ糸の製織時に決定することができる。
【００５７】
本発明においては、図12に示すように、図11にしたがって設定された織機において、本発明の方法に切り換えることにより、補助送風機のいくつかの組への圧縮空気の供給が、時間差または角度差V14、V15、V16、V17、V54、V55、V56、およびV57から時間差または角度差F14、F15、F16、F17、F54、F55、F56、およびF57を引いたものに等しい時間間隔だけ中断または早められる。時間差または角度差F14、F15、F16、F17、F54、F55、F56、およびF57は、送られているよこ糸自身に関する測定値にもとづいて決定される。すなわち、この時間差または角度差は、それぞれの場合に、各よこ糸自身の導入時に改めて決定される、ということである。時間差または角度差V14、V15、V16、V17、V54、V55、V56、およびV57は、たとえば、前記方法に切り換えたとき、前記のような変動にもとづいて決定される。
【００５８】
図12に示す例おいては、図8の例と同様に、圧縮空気の供給は、この例におけるようにたとえばt3wがTGよりも早くなる場合には、時刻hh14、hh15、hh16、hh17、hh54、hh55、hh56、およびhh57に中断される。これらの時刻は、図11に示すように、時刻h14、h15、h16、h17、h54、h55、h56、およびh57の前に来ている。この場合、t3wがTGの後に来る場合、圧縮空気の供給は、やや遅れて、時刻hhh14、hhh15、hhh16、hhh17、hhh54、hhh55、hhh56、およびhhh57に中断される。これらの時刻は、たとえばtw3とTGとの差にもとづいて決定される。図12において、時刻TGは、時刻Aの少し前に来るように選択される。
【００５９】
値V14、V15、V16、V17、V54、V55、V56、およびV57は、たとえば、それぞれGの値にある係数をかけたものと定義され、具体的には、それぞれ、0.3×G、0.5×G、0.7×G、0.7×G、0.5×G、0.3×G、0.2×G、および0.15×Gと定義される。ここに示す例では、F14、F15、F16、F17、F54、F55、F56、およびF57の値は、それぞれ、拡大係数Kx×(t3w-TG)と定義される。ここで、Kxは、補助送風機の各組に対して、t3wが値Cに等しい場合には、V14、V15、V16、V17、V54、V55、V56、およびV57がそれぞれF14、F15、F16、F17、F54、F55、F56、およびF57に等しくなるように、選択または設定される。これによって与えられる利点は、拡大係数Kxを入力する必要がなく、織機が、オペレータの介入の必要なしで、補助送風機の各組に対して、簡単に拡大係数Kxを決定することができる、ということである。この場合にも、前記変動にもとづいて、V14、V15、V16、V17、V54、V55、V56、およびV57に対するいろいろな値を選択または計算することにより、小、中、または大作用を選択することが可能である。しかし、前記代表的実施形態の場合、F14、F15、F16、F17、F54、F55、F56、およびF57に対する値は、必ずしも、V14、V15、V16、V17、V54、V55、V56、およびV57に対する値に限定する必要はない。これが意味するのは、特定のよこ糸t3wがCよりも後になる場合、圧縮空気の供給を、先行技術のやり方におけると同様に、時刻h14〜h17またはh54〜h58における圧縮空気の供給中断という設定値よりも遅れて中断することができる、ということである。しかし、F14、F15、F16、F17、F54、F55、F56、およびF57に対する値を、V14、V15、V16、V17、V54、V55、V56、およびV57に対する値に限定してもかまわないので、圧縮空気の供給は、図11に示す例と同様のやり方で、もっとも遅くは、時刻h14〜h17またはh54〜h58に中断される。
【００６０】
TGおよび/またはCに対する値を製織時に少し変える必要がある場合には、明らかに、補助送風機の各組に対する拡大係数Kxを調節または変更することができる。本発明の方法においては、前記変動Gを製織時に変更する必要がある場合、V14〜V17およびV54〜V57の値ならびに/またはF14〜F17およびF54〜F57の値を調節することもできる。
【００６１】
図12に示す例の場合、たとえば、圧縮空気の供給の中断の命令が、早期中断すべきか否かの決定時刻の前に行われた場合でも、補助送風機のいくつかの組に対する圧縮空気の供給が早期中断されることはない。ここに示す例の場合、これは補助送風機の組12および13にあてはまる。というのは、測定t3wは、補助送風機のこれらの組12および13への圧縮空気の供給の早期中断を実現するためには、遅くなりすぎるということがあるからである。補助送風機の組58への圧縮空気の供給も早期中断されることはない。よこ糸の引っ張りと再引っ張りとに悪影響を及ぼさないようにするためである。本発明においては、杼道の中央部付近に配置されている補助送風機の組への圧縮空気の供給中断を、この中央部の外の補助送風機の組への圧縮空気の供給中断よりも早くすることにより、最大限の圧縮空気の節約ができる。図12に示す例の場合、この中断操作が意味するのは、補助送風機の組16および17への圧縮空気の供給が補助送風機の他の組への圧縮空気の供給よりも早く中断されるということである。
【００６２】
ここに示す例では、補助送風機の組12および13への圧縮空気の供給は、早期中断されない。この場合、たとえば、織機の速度が割合大きく選択されている場合、後続の少なくとも一つの補助送風機の組14への圧縮空気の供給も早期中断することはできない、ということになるであろう。これは、遮断弁の閉鎖にある程度の時間がかかるということのためであり、この時間は大きな製織速度の場合に大きく利いてくる。
【００６３】
明らかに、変形実施形態によれば、圧縮空気の供給の中断は、たとえば、たとえばt3wとt3wがTGよりもあとにくる場合の値Cとの差にもとづいて決定することもできる。このようにして、図12に示すように、補助送風機の組16へのよこ糸の導入時の、Kx×(C−t3w)として値M16を決定することができる。この場合、補助送風機の対応する組に対するKxの値は、前記のように決定することができる。明らかに、この場合のM16はV16とF16との差に等しい。この場合、値M16は、t3wがTGよりも前に来るならば、図12の値V16までに制限することができる。同様にして、他の値M14〜M57を、補助送風機の他の組に関して決定することができるが、これらの他の値M14〜M57は、簡明なように、図12には示していない。
【００６４】
本発明の方法の利点は、よこ糸の種類、および複数のよこ糸の送り時のこれらのよこ糸に関する測定値の変動にかかわらず、補助送風機の少なくとも一つの組への圧縮空気の供給の中断を最適なやり方で実行することができ、したがって好ましい空気消費低下がもたらされる、ということである。
【００６５】
明らかに、このエアージェット式織機は、よこ糸が圧縮空気によって案内路11内に吹き込まれるエアージェット式織機のみには限定されない。エアージェット式織機の補助送風機の組は、よこ糸を杼道を通して送る、よこ糸のためのホルダーに吹き込むようにすることもできる。さらに、このタイプの織機の杼道によこ糸を導入するために、通常の圧縮空気の代わりに、任意の必要な流体を使用することができる。その場合、気体、液体、または蒸気を混合した通常の圧縮空気を使用することもできる。
【００６６】
明らかに、本明細書では時刻に関して説明したが、この時刻は織機のクランク角で表現することもできる。その場合、織機のクランク角1゜は、たとえば何ミリ秒かに対応し、あるいは1ミリ秒がクランク角何度かに対応する。
【００６７】
特許請求の範囲に示す本発明の方法とエアージェット式織機とは、添付の図面に示し上で説明した代表的実施形態のみに限定されるものではなく、本発明の範囲を逸脱しない変形実施形態および前記実施形態の組合せをも含む。
【図面の簡単な説明】
【００６８】
【図１】本発明によるエアージェット式織機の部分を模式的に示す図である。
【図２】圧縮空気を連続する補助送風機に供給するときの流れ図を示す。
【図３】圧縮空気を連続する補助送風機の組に供給するときの流れ図を示す。
【図４】圧縮空気を連続する補助送風機の組に供給するときの流れ図を示す。
【図５】圧縮空気を連続する補助送風機の組に供給するときの流れ図を示す。
【図６】圧縮空気を連続する補助送風機の組に供給するときの流れ図を示す。
【図７】圧縮空気を連続する補助送風機の組に供給するときの流れ図を示す。
【図８】圧縮空気を連続する補助送風機の組に供給するときの流れ図を示す。
【図９】圧縮空気を連続する補助送風機の組に供給するときの流れ図を示す。
【図１０】図1のエアージェット式織機の部分の一部の変形を模式的に示す図である。
【図１１】特に、圧縮空気を連続する補助送風機の組に供給するときの流れ図である。
【図１２】特に、圧縮空気を連続する補助送風機の組に供給するときの流れ図である。
【符号の説明】
【００６９】
1  杼道
2  供給路
3  供給路
4  よこ糸
5  よこ糸
6  よこ糸供給装置
7  プレワインダー
8  第一の主送風機
9  第二の主送風機
10  おさ
11  案内路
12  補助送風機の組
13  補助送風機の組
14  補助送風機の組
15  補助送風機の組
16  補助送風機の組
17  補助送風機の組
18  よこ糸モニター
19  よこ糸モニター
20  よこ糸モニター
21  遮断弁
22  絞り弁
23  圧縮空気供給源
24  遮断弁
25  遮断弁
26  遮断弁
27  遮断弁
28  遮断弁
29  遮断弁
30  絞り弁
31  引っ張り送風機
32  遮断弁
33  絞り弁
34  よこ糸モニター
35  制御ユニット
36  接続線
37  接続線
38  磁性ピン
39  接続線
40  ブロック
41  ブロック
42  ブロック
43  ブロック
44  ブロック
45  ブロック
46  線
47  線
48  線
49  よこ糸モニター
50  接続線
51  巻き線
52  入力ユニット
53  ディスプレイユニット
54  補助送風機の組
55  補助送風機の組
56  補助送風機の組
57  補助送風機の組
58  補助送風機の組
59  遮断弁
60  遮断弁
61  遮断弁
62  遮断弁
63  遮断弁
64  時刻分布
65  t3wの分布
A  時刻
C  時刻
F  64の部分
G  時刻の可能な変動
S  64の部分
TG  時刻
T26  時刻
T27  時刻
T28  時刻
h12  時刻
h13  時刻
h14  時刻
h15  時刻
h16  時刻
h17  時刻
h54  時刻
h55  時刻
h56  時刻
h57  時刻
h58  時刻
tt26  時刻
tt27  時刻
tt28  時刻
ttt28  時刻
hhh14  時刻
hhh15  時刻
hhh16  時刻
hhh17  時刻
hhh54  時刻
hhh55  時刻
hhh56  時刻
hhh57  時刻
s24  時刻
s25  時刻
s26  時刻
s27  時刻
s28  時刻
s29  時刻
t18  時刻
t19  時刻
t20  時刻
t24  時刻
t25  時刻
t26  時刻
t27  時刻
t28  時刻
t29  時刻
t1w  時刻
t2w  時刻
t3w  時刻
F14  時間差
F15  時間差
F16  時間差
F17  時間差
F26  時間差
F27  時間差
F28  時間差
M16  時間差
P26  時間間隔
P27  時間間隔
P28  時間間隔
Q26  時間間隔
Q27  時間間隔
Q28  時間間隔
R26  時間差
R27  時間差
R28  時間差
V14  時間差
V15  時間差
V16  時間差
V17  時間差
V26  時間差
V27  時間差
V28  時間差
V54  時間差
V55  時間差
V56  時間差
V57  時間差
TM26  時刻
TM27  時刻
TM28  時刻
【図１】
2009516780.tif 000003
【図２】
2009516780.tif 000004
【図３】
2009516780.tif 000005
【図４】
2009516780.tif 000006
【図５】
2009516780.tif 000007
【図６】
2009516780.tif 000008
【図７】
2009516780.tif 000009
【図８】
2009516780.tif 000010
【図９】
2009516780.tif 000011
【図１０】
2009516780.tif 000012
【図１１】
2009516780.tif 000013
【図１２】
2009516780.tif 000014
【国際調査報告】
2009516780.tif 000015
2009516780.tif 000016